(57)【要約】【課題】金属清浄剤を含まなくても、優れたエンジン（ピストン）清浄性を保ちながら、ＤＰＦの目詰まりを防止し、動弁系の摩耗を低下させるディーゼルエンジン用の潤滑油組成物を得ようとする【解決手段】基油に金属清浄剤を含まず、コハク酸イミドの窒素量を０．０１〜０．２質量％、ジチオリン酸亜鉛の亜鉛量を０．０５〜０．１２質量％、アミン系酸化防止剤の窒素量を０．０２〜０．３質量％及びホウ素量を０．０１〜０．０８質量％含有させ、また、硫酸灰分の含有量を０．３質量％以下であるようにする。そして、上記の〔（ジチオリン酸亜鉛の亜鉛量）×（コハク酸イミドの窒素量）〕と〔（ジチオリン酸亜鉛の亜鉛量）×（アミン系酸化防止剤の窒素量）〕の合計値が０．０１５〜０.０６であるようにする。【選択図】なし【特許請求の範囲】
【請求項１】
基油中に、硫酸灰分を０．３質量％以下、コハク酸イミドの窒素量を０．０１〜０．２質量％、ジチオリン酸亜鉛の亜鉛量を０．０５〜０．１２質量％、アミン系酸化防止剤の窒素量を０．０２〜０．３質量％及びホウ素量を０．０１〜０．０８質量％含有し、かつ、上記の〔（ジチオリン酸亜鉛の亜鉛量）×（コハク酸イミドの窒素量）〕と〔（ジチオリン酸亜鉛の亜鉛量）×（アミン系酸化防止剤の窒素量）〕の合計値が０．０１５〜０．０６である、サリシレート、フェネート若しくはスルホネートの金属清浄剤を含まないディーゼルエンジン用潤滑油組成物。
【請求項２】
上記基油が、ＡＰＩ基油カテゴリーのグループ２、グループ３、グループ４およびグループ５から選ばれる単独または混合基油であり、この基油の硫黄分が５０ｐｐｍ以下である請求項１に記載のディーゼルエンジン用潤滑油組成物。
【請求項３】
ＪＡＳＯ Ｍ３３６：１９９８ 清浄性試験におけるＴＧＦが３０％以下、及びＪＡＳＯ
Ｍ３５４：１９９９  動弁摩耗試験におけるカム山高さの変化が９５μｍ以下である請求項１または２に記載のディーゼルエンジン用潤滑油組成物。
【請求項４】
上記ジチオリン酸亜鉛が２級のアルキル基を有するジアルキルジチオリン酸亜鉛であって、炭素数が３〜１２であることを特徴とする請求項１〜３のいずれかに記載のディーゼルエンジン用潤滑油組成物。
【発明の詳細な説明】
【技術分野】
【０００１】
本発明は、ディーゼルエンジン用の潤滑油組成物に関し、特に金属清浄剤を配合せずに、超低灰分でありながら優れたエンジン（ピストン）清浄性を有するディーゼルエンジン用潤滑油組成物に関する。
【背景技術】
【０００２】
ディーゼルエンジンの排出ガス中のパティキュレート（以下、ＰＭという）の浄化に有効とされているディーゼルパティキュレートフィルター（以下、ＤＰＦという）は、使用されるエンジンオイル中の金属成分によって、フィルターの目詰まりを起こすようになる。例えば、ディーゼルエンジン油に由来する灰分がＤＰＦに蓄積し、ＰＭの浄化率の低下やＤＰＦの寿命の低下を引き起こすことが知られており、ディーゼルエンジン油の硫酸灰分の低減すなわち低灰分化が必要とされている。
【０００３】
すなわち、エンジンオイル、特にディーゼルエンジンオイルでは、要求される性能が燃料の変遷により変化してきた歴史を持っている。例えば、排出ガスによる大気汚染からパティキュレート、一酸化炭素やＮＯｘの排出が問題となり、特に軽油中の硫黄分はこの１０数年で５００ｐｐｍ（質量ｐｐｍ、以下同じ）以下から１０ｐｐｍ以下まで急激に低下して来た。この排出ガス対策から、ディーゼルエンジンでは、ＤＰＦと呼ばれる後処理装置が装備されるようになったが、このＤＰＦのフィルターの目詰まり防止のため、低灰分のエンジンオイルが要求されるようになった。
また、エンジンオイル中の硫黄分は燃焼によって硫酸を生成し、生成した硫酸がピストンの清浄性、耐摩耗性に良くない影響を与え、またエンジンオイル中のリン分が排ガス浄化触媒を被毒することから、今後更にＬＯＷ-ＳＡＰＳと呼ばれる低灰分・低リン・低硫黄のエンジンオイルを指向する傾向は強まって行くものと思われる。
【０００４】
上記ディーゼルエンジン油の要求性能に大きな影響を与えているこの低灰分化には、エンジン清浄性に寄与する金属清浄剤や、耐摩耗性に寄与するジアルキルジチオリン酸亜鉛（ＺｎＤＴＰ）などの、金属分を含む添加剤の配合量の低減が必須である。
【０００５】
上記したＤＰＦの目詰まりを防止するためには金属含有添加剤を含まないエンジン油組成物とすることが考えられるが、単に従来のエンジン油組成物から金属含有添加剤を低減すると、エンジン清浄性、耐摩耗性、酸化安定性といったエンジン油組成物としての重要性能が低下してしまう。
【０００６】
例えば、特開２００７−２５４５５９号公報（特許文献１）のものでは、低灰ディーゼルエンジンオイル組成物を志向しているが、硫酸灰分は０．６質量％以下と未だ多く、さらには金属清浄剤を含有しているものであって、これは金属清浄剤を少量使用しながら、低灰分のエンジンオイルを志向するという従来技術の延長上に位置しているものである。
また、特開２００６‐１７６６７２号公報（特許文献２）のものは、低灰分による酸化安定性に優れた内燃機関用潤滑油を目的としているもので、この低灰分油で粘度および酸価の上昇を抑えようとしているが、ピストン清浄性を特に志向しているものではない。さらに、実施例における硫酸灰分も０．９９〜１．０１質量％と極めて多くなっている。
【先行技術文献】
【特許文献】
【０００７】
【特許文献１】特開２００７‐２５４５５９号公報
【特許文献２】特開２００６‐１７６６７２号公報
【発明の概要】
【発明が解決しようとする課題】
【０００８】
本発明は、金属清浄剤を含まなくても、優れたエンジン（ピストン）清浄性を保ちながら、ＤＰＦの目詰まりを防止し、動弁系の摩耗を低下させるようなディーゼルエンジン用の潤滑油組成物を得ようとするものである。
【課題を解決するための手段】
【０００９】
本発明は、基油中に加えるジチオリン酸亜鉛、コハク酸イミド及びアミン系酸化防止剤のバランスをとることによって、金属清浄剤を含まずとも、優れたエンジンのピストン清浄性を保ちながら、ＤＰＦの目詰まり及び動弁系摩耗を防止する。
このため、基油にコハク酸イミドの窒素量を０．０１〜０．２質量％、ジチオリン酸亜鉛の亜鉛量を０．０５〜０．１２質量％、アミン系酸化防止剤の窒素量を０．０２〜０．３質量％及びホウ素量を０．０１〜０．０８質量％含有させ、また、硫酸灰分の含有量を０．３質量％以下であるようにする。
そして、上記の〔（ジチオリン酸亜鉛の亜鉛量）×（コハク酸イミドの窒素量）〕と〔（ジチオリン酸亜鉛の亜鉛量）×（アミン系酸化防止剤の窒素量）〕の合計値が０．０１５〜０.０６であるようにする。上記合計量は好ましくは０.０１５〜０．０４、より好ましくは０．０１５〜０．０３である。ここでいう亜鉛量及び窒素量は質量％で表わすものである。
こうしたディーゼルエンジン用の潤滑油組成物は、サリシレート、フェネート若しくはスルホネートの金属清浄剤を含んでいないものである。ここで、金属清浄剤を含んでいないとは、金属清浄剤に由来する金属分が金属含有量換算で０．０１質量％以下の潤滑油組成物であることを示す。
【００１０】
上記基油は、グループ２、グループ３、グループ４およびグループ５から選ばれる基油または混合基油であって、これら単独使用または混合使用する基油の硫黄分が５０ｐｐｍ以下であるものが好ましい。
更に、このディーゼルエンジン用潤滑油組成物は、ＪＡＳＯ  Ｍ３３６：１９９８  清浄性試験におけるＴＧＦが３０％以下、及びＪＡＳＯ  Ｍ３５４：１９９９  動弁摩耗試験におけるカム山高さ変化が９５μｍ以下であるようにされている。
【発明の効果】
【００１１】
本発明は、金属清浄剤を含まず、低灰分量でありながらエンジンの優れたピストン清浄性能を保ち、ＤＰＦの目詰まりを防止し、動弁系の摩耗を有効に防止することができるディーゼルエンジン用の潤滑油組成物を得ることができ、環境に対する負荷を低減することができる。
【発明を実施するための形態】
【００１２】
本発明のディーゼルエンジン用の潤滑油組成物に用いられる基油には、通常の潤滑油に使用される鉱油、合成油、これらの混合油を適宜使用することができ、特に、ＡＰＩ（Ａｍｅｒｉｃａｎ  Ｐｅｔｒｏｌｅｕｍ  Ｉｎｓｔｉｔｕｔｅ；米国石油協会）基油カテゴリーでグループ２、グループ３、グループ４およびグループ５の基油を単独または混合物として使用することができる。
【００１３】
上記グループ２基油には、例えば、原油を常圧蒸留して得られる潤滑油留分に対して、水素化分解、脱ろうなどの精製手段を適宜組み合わせて適用することにより得られたパラフィン系鉱油がある。ガルフ社法などの水素化精製法により精製されたグループ２基油は、全イオウ分が１０ｐｐｍ未満、アロマ分が５％以下であり、本発明において好適に用いることができる。
これらの基油の粘度は特に制限されないが、粘度指数は８０〜１２０、好ましくは１００〜１２０がよい。４０℃における動粘度は、好ましくは２〜６８０ｍｍ２／ｓ、より好ましくは８〜２２０ｍｍ２／ｓである。また全硫黄分は３００ｐｐｍ未満、好ましくは１００ｐｐｍ未満、更に好ましくは１０ｐｐｍ未満がよい。全窒素分も１０ｐｐｍ未満、好ましくは１ｐｐｍ未満がよい。さらにアニリン点は８０〜１５０℃、好ましくは１００〜１３５℃のものを使用するのがよい。
これらグループ２基油の中でも、好ましいものとして粘度指数が１１５以上であるグループ２プラスと呼ばれる基油が挙げられる。
【００１４】
グループ３基油には、例えば、原油を常圧蒸留して得られる潤滑油留分に対して、高度水素化精製により製造されるパラフィン系鉱油や、脱ろうプロセスにて生成されるワックスをイソパラフィンに変換・脱ろうするＩＳＯＤＥＷＡＸプロセスにより精製された基油や、モービルＷＡＸ異性化プロセスにより精製された基油があり、これらも本発明において好適に用いることができる。
これらの基油の粘度は特に制限されないが、粘度指数は１２０〜１６０、好ましくは１２０〜１５０がよい。４０℃における動粘度は、好ましくは２〜６８０ｍｍ２／ｓ、より好ましくは８〜２２０ｍｍ２／ｓである。また全硫黄分は、３００ｐｐｍ未満、好ましくは１００ｐｐｍ未満、更に好ましくは１０ｐｐｍ未満がよい。全窒素分も１０ｐｐｍ未満、好ましくは１ｐｐｍ未満がよい。さらにアニリン点は８０〜１５０℃、好ましくは１１０〜１３５℃のものを使用するのがよい。
これらグループ３基油の中でも、好ましいものとして粘度指数が１３０以上であるグループ３プラスと呼ばれる基油が挙げられる。
【００１５】
合成油としては、例えば、ポリオレフィン、アルキルベンゼン、アルキルナフタレン、エステル、ポリオキシアルキレングリコール、ポリフェニルエーテル、ジアルキルジフェニルエーテル、含フッ素化合物（パーフルオロポリエーテル、フッ素化ポリオレフィン等）、シリコーンなどが挙げられる。
【００１６】
上記ポリオレフィンには、各種オレフィンの重合物又はこれらの水素化物が含まれる。オレフィンとしては任意のものが用いられるが、例えば、エチレン、プロピレン、ブテン、炭素数５以上のα−オレフィンなどが挙げられる。ポリオレフィンの製造に当っては、上記オレフィンの１種を単独で用いてもよく、２種以上を組み合わせて用いても良い。特にポリα−オレフィン（ＰＡＯ）と呼ばれているポリオレフィンが好適であり、これはグループ４基油である。
これら合成基油の粘度は特に制限されないが、４０℃における動粘度は、好ましくは２〜６８０ｍｍ２／ｓ、より好ましくは８〜２２０ｍｍ２／ｓである。
【００１７】
天然ガスの液体燃料化技術のフィッシャートロプッシュ法により合成されたＧＴＬ（ガストゥリキッド）基油は、原油から精製された鉱油基油と比較して、硫黄分や芳香族分が極めて低く、パラフィン構成比率が極めて高いため、酸化安定性に優れ、蒸発損失も非常に小さいため、本発明の基油として好適に用いることができる。
ＧＴＬ基油の粘度性状は特に制限されないが、通例、粘度指数は１２０〜１８０、好ましくは１３０〜１７５、より好ましくは１４０〜１７５である。また４０℃における動粘度は２〜６８０ｍｍ２／ｓ、好ましくは５〜１２０ｍｍ２／ｓである。また通例全硫黄分は１０ｐｐｍ未満、全窒素分１ｐｐｍ未満である。そのようなＧＴＬ基油商品の一例として、ＳＨＥＬＬ  ＸＨＶＩ（登録商標）がある。
【００１８】
上記の如く、基油として各種の油種を単独使用したり、適宜に混合使用したりすることができるが、こうした基油の硫黄分は、５０ｐｐｍ以下、好ましくは１０ｐｐｍ以下にするとよく、１ｐｐｍ以下にすると配合設計の自由度を増すことができて一層好ましいことが多い。
【００１９】
上記ジチオリン酸亜鉛としては、一般に、ジアルキルジチオリン酸亜鉛、ジアリールジチオリン酸亜鉛、アリールアルキルジチオリン酸亜鉛等が挙げられる。炭化水素基として、例えばアルキル基は、炭素数３〜１２の第１級又は第２級のアルキル基が挙げられ、アリール基としてはフェニル基或いはフェニル基を炭素数１〜１８のアルキル基で置換したアルキルアリール基が挙げられる。
これらのジチオリン酸亜鉛の中でも第２級のアルキル基を有するジアルキルジチオリン酸亜鉛が好ましく、炭素数としては３〜１２、好ましくは３〜８、より好ましくは３〜６である。
【００２０】
ジチオリン酸亜鉛の具体例としては、ジプロピルジチオリン酸亜鉛、ジブチルジチオリン酸亜鉛、ジペンチルジチオリン酸亜鉛、ジヘキシルジチオリン酸亜鉛、ジイソペンチルジチオリン酸亜鉛、ジエチルヘキシルジチオリン酸亜鉛、ジオクチルジチオリン酸亜鉛、ジノニルジチオリン酸亜鉛、ジデシルジチオリン酸亜鉛、ジドデシルジチオリン酸亜鉛、ジプロピルフェニルジチオリン酸亜鉛、ジペンチルフェニルジチオリン酸亜鉛、ジプロピルメチルフェニルジチオリン酸亜鉛、ジノニルフェニルジチオリン酸亜鉛、ジドデシルフェニルジチオリン酸亜鉛等が挙げられる。
【００２１】
このジチオリン酸亜鉛は、亜鉛量として潤滑油組成物の０．０５〜０．１２質量％含有され、好ましくは０．０６〜０．１２質量％含有される。ジチオリン酸亜鉛は、上記の通り有効な耐摩耗剤であるが、リン（Ｐ）を含有する。リン化合物は、排ガス触媒を被毒すると言われており、組成物中のリン分が増加すると排ガス浄化触媒への悪影響の可能性が高まる。そのため、ジチオリン酸亜鉛を亜鉛量で０．１２質量％を超えて含有すると、それに伴い組成物中のリン量が増加するため好ましくない。また、上記の上限量を超えると耐摩耗剤として効果が飽和するため、費用に見合う効果が得られず効率的ではない。一方、０．０５質量％未満であると耐摩耗剤としての効果が有効ではないことがある。
【００２２】
本発明の潤滑油組成物には、上記したコハク酸イミドとして、アルケニルコハク酸イミド若しくはアルキルコハク酸イミド及び／又はそのホウ素変性した誘導体が用いられ、無灰分散剤として機能する。
アルケニル若しくはアルキルコハク酸イミドとしては、例えば、一般式（１）で表されるアルケニル若しくはアルキルコハク酸モノイミド及び一般式（２）で表されるアルケニル若しくはアルキルコハク酸ビスイミドが好適なものとして挙げられる。
【００２３】
【化１】
2011256374.tif 000002
【００２４】
【化２】
2011256374.tif 000003
【００２５】
上記の一般式（１）、一般式（２）中、Ｒ1、Ｒ3及びＲ4は、それぞれ重量平均分子量５００〜３，０００のアルケニル基若しくはアルキル基で、Ｒ3及びＲ4は同一でも異なっていてもよく、Ｒ2、Ｒ5及びＲ6は、それぞれ炭素数２〜５のアルキレン基で、Ｒ5及びＲ6は同一でも異なっていてもよく、ｍは１〜１０の整数を示し、ｎは０又は１〜１０の整数を示す。
【００２６】
一般式（１）、（２）において、Ｒ1、Ｒ3及びＲ4の重量平均分子量は、それぞれ、上記の如く５００〜３，０００であり、好ましくは１，０００〜３，０００である。重量平均分子量が５００未満であると基油への溶解性が低下し、３０００を超えると清浄性が低下し、目的の性能が得られないおそれがある。
また、上記ｍは１〜１０の整数であるが、好ましくは２〜５、より好ましくは３〜４である。ｍが２を超えると良好な清浄性を有し、ｍが５未満であると基油に対する溶解性が良好となる。
一般式（２）において、ｎは０又は１〜１０の整数であるが、好ましくは１〜４、より好ましくは２〜３である。ｎが１を超えると良好な清浄性を有し、ｎが４未満であると基油に対する溶解性が良好となる。
【００２７】
一般式（１）、（２）におけるアルケニル基としては、ポリブテニル基、ポリイソブテニル基、エチレン−プロピレン共重合体などを挙げることができ、アルキル基としてはこれらを水素添加したものである。好適なアルケニル基の代表例としては、ポリブテニル基又はポリイソブテニル基が挙げられ、１−ブテンとイソブテンの混合物あるいは高純度のイソブテンを重合させたものとして得られる。
また、好適なアルキル基の代表例としては、ポリブテニル基又はポリイソブテニル基を水素添加したものである。
【００２８】
上記のアルケニル若しくはアルキルコハク酸イミドは、通常、ポリオレフィンと無水マレイン酸との反応で得られるアルケニルコハク酸無水物、又はそれを水添して得られるアルキルコハク酸無水物を、ポリアミンと反応させることによって製造することができる。
上記のコハク酸モノイミド及びコハク酸ビスイミドは、アルケニルコハク酸無水物若しくはアルキルコハク酸無水物とポリアミンとの反応比率を変えることによって製造することができる。
上記ポリオレフィンを形成するオレフィン単量体としては、炭素数２〜８のα−オレフィンの一種又は二種以上を混合して用いることができるが、イソブテンと１−ブテンの混合物を好適に用いることができる。
【００２９】
一方、上記ポリアミンとしては、エチレンジアミン，プロピレンジアミン，ブチレンジアミン，ペンチレンジアミン等の単一ジアミン、ジエチレントリアミン，トリエチレンテトラミン，テトラエチレンペンタミン，ペンタエチレンヘキサミン、ジ（メチルエチレン）トリアミン、ジブチレントリアミン、トリブチレンテトラミン、ペンタペンチレンヘキサミン等のポリアルキレンポリアミンを挙げることができる。
【００３０】
また、アルケニル若しくはアルキルコハク酸イミド化合物のホウ素変性した誘導体は、常法により製造したものを使用することができる。例えば、上記のポリオレフィンを無水マレイン酸と反応させてアルケニルコハク酸無水物とした後、更に上記のポリアミンと酸化ホウ素、ハロゲン化ホウ素、ホウ酸、ホウ酸無水物、ホウ酸エステル、ホウ素酸のアンモニウム塩等のホウ素化合物を反応させて得られる中間体と反応させてイミド化させることによって得られる。
【００３１】
本発明の潤滑油組成物は、組成物基準で、無灰分散剤として、アルケニル若しくはアルキルコハク酸モノイミドあるいはビスイミド及び／又はそのホウ素変性した誘導体を、窒素含有量換算で０．０１〜０．２質量％含有し、好ましくは０．０５〜０．１５質量％含有する。
アルケニル若しくはアルキルコハク酸モノイミドあるいはビスイミド及び／又はそのホウ素変性した誘導体の含有量が、窒素含有量換算で０．０１質量％未満であると、無灰分散剤としての効果が充分に発揮されず、また、０．２質量％を超えると、エンジンに使用されているシール材などのゴム製部品への悪影響が顕著となるので好ましくない。
【００３２】
また、該無灰分散剤であるアルケニル若しくはアルキルコハク酸モノイミド又はビスイミドの潤滑油組成物中のホウ素誘導体の含有量は、潤滑油組成物を基準としてホウ素換算で０．０１〜０．０８質量％好ましくは０．０４〜０．０７質量％である。
上記アルケニル若しくはアルキルコハク酸モノイミド又はビスイミド及び／又はそのホウ素変性した誘導体のホウ素換算した潤滑油組成物中の含有量が０．０１質量％未満では耐摩耗性および高温清浄性の向上効果が不十分であり、０．０８質量％を超えても、これらの効果は飽和しており経済性が低下する。
また、ホウ素はコハク酸イミドのホウ素変性物に由来するものであるが、ホウ素分だけを過剰に添加することは、組成物の硫酸灰分を増加させることになり、ＤＰＦの目詰まりの原因となり好ましくない。
【００３３】
本発明において使用するアミン系酸化防止剤としては、潤滑油に使用されるものが実用的には好ましく、窒素量として潤滑油組成物中に０．０２〜０．３質量％の範囲で単独又は複数組み合わせて使用できる。
アミン系酸化防止剤は、構造的にも、表面吸着しやすく、耐摩耗剤のジチオリン酸亜鉛が分解して、酸性中間体が表面に吸着するのを阻害するため、過剰添加は好ましくないことから、その上限量を規制した方がよい。
アミン系酸化防止剤としては、ｐ，ｐ’−ジオクチル−ジフェニルアミン（精工化学社製：ノンフレックスＯＤ−３）、ｐ，ｐ’−ジ−α−メチルベンジル−ジフェニルアミン、Ｎ−ｐ−ブチルフェニル−Ｎ−ｐ’−オクチルフェニルアミンなどのジアルキル−ジフェニルアミン類、モノ−ｔ−ブチルジフェニルアミン、モノオクチルジフェニルアミンなどのモノアルキルジフェニルアミン類、ジ（２，４−ジエチルフェニル）アミン、ジ（２−エチル−４−ノニルフェニル）アミンなどのビス（ジアルキルフェニル）アミン類、オクチルフェニル−１−ナフチルアミン、Ｎ−ｔ−ドデシルフェニル−１−ナフチルアミンなどのアルキルフェニル−１−ナフチルアミン類、１−ナフチルアミン、フェニル−１−ナフチルアミン、フェニル−２−ナフチルアミン、Ｎ−ヘキシルフェニル−２−ナフチルアミン、Ｎ−オクチルフェニル−２−ナフチルアミンなどのアリール−ナフチルアミン類、Ｎ，Ｎ’−ジイソプロピル−ｐ−フェニレンジアミン、Ｎ，Ｎ’−ジフェニル−ｐ−フェニレンジアミンなどのフェニレンジアミン類、フェノチアジン（保土谷化学社製：Ｐｈｅｎｏｔｈｉａｚｉｎｅ）、３，７−ジオクチルフェノチアジンなどのフェノチアジン類などが挙げられる。
【００３４】
本発明において使用するアミン系以外の酸化防止剤としては、フェノール系酸化防止剤、硫黄系酸化防止剤を挙げることができるが、これらの酸化防止剤は、潤滑油組成物中に約０．０１〜５質量％の範囲で単独又は複数組み合わせて使用できる。下記に示す実施例ではフェノール系とアミン系の酸化防止剤を組み合わせて使用した。
硫黄系酸化防止剤としては、ジドデシルサルファイド、ジオクタデシルサルファイドなどのジアルキルサルファイド類、ジドデシルチオジプロピオネート、ジオクタデシルチオジプロピオネート、ジミリスチルチオジプロピオネート、ドデシルオクタデシルチオジプロピオネートなどのチオジプロピオン酸エステル類、２−メルカプトベンゾイミダゾールなどが挙げられる。
【００３５】
フェノール系酸化防止剤としては、２−ｔ−ブチルフェノール、２−ｔ−ブチル−４−メチルフェノール、２−ｔ−ブチル−５−メチルフェノール、２，４−ジ−ｔ−ブチルフェノール、２，４−ジメチル−６−ｔ−ブチルフェノール、２−ｔ−ブチル−４−メトキシフェノール、３−ｔ−ブチル−４−メトキシフェノール、２，５−ジ−ｔ−ブチルヒドロキノン（川口化学社製：アンテージＤＢＨ）、２，６−ジ−ｔ−ブチルフェノール、２，６−ジ−ｔ−ブチル−４−メチルフェノール、２，６−ジ−ｔ−ブチル−４−エチルフェノールなどの２，６−ジ−ｔ−ブチル−４−アルキルフェノール類、２，６−ジ−ｔ−ブチル−４−メトキシフェノール、２，６−ジ−ｔ−ブチル−４−エトキシフェノールなどの２，６−ジ−ｔ−ブチル−４−アルコキシフェノール類がある。
【００３６】
また、３，５−ジ−ｔ−ブチル−４−ヒドロキシベンジルメルカプト−オクチルアセテート、ｎ−オクタデシル−３−（３，５−ジ−ｔ−ブチル−４−ヒドロキシフェニル）プロピオネート（吉富製薬社製：ヨシノックスＳＳ）、ｎ−ドデシル−３−（３，５−ジ−ｔ−ブチル−４−ヒドロキシフェニル）プロピオネート、２’−エチルヘキシル−３−（３，５−ジ−ｔ−ブチル−４−ヒドロキシフェニル）プロピオネート、ベンゼンプロパン酸３，５−ビス（１，１−ジメチル−エチル）−４−ヒドロキシ−Ｃ７〜Ｃ９側鎖アルキルエステル（チバ・スペシャルティ・ケミカルズ社製：ＩｒｇａｎｏｘＬ１３５）などのアルキル−３−（３，５−ジ−ｔ−ブチル−４−ヒドロキシフェニル）プロピオネート類、２，６−ジ−ｔ−ブチル−α−ジメチルアミノ−ｐ−クレゾール、２，２’−メチレンビス（４−メチル−６−ｔ−ブチルフェノール）（川口化学社製：アンテージＷ−４００）、２，２’−メチレンビス（４−エチル−６−ｔ−ブチルフェノール）（川口化学社製：アンテージＷ−５００）などの２，２’−メチレンビス（４−アルキル−６−ｔ−ブチルフェノール）類がある。
【００３７】
さらに、４，４’−ブチリデンビス（３−メチル−６−ｔ−ブチルフェノール）（川口化学社製：アンテージＷ−３００）、４，４’−メチレンビス（２，６−ジ−ｔ−ブチルフェノール）（シェル・ジャパン社製：Ｉｏｎｏｘ２２０ＡＨ）、４，４’−ビス（２，６−ジ−ｔ−ブチルフェノール）、２，２−（ジ−ｐ−ヒドロキシフェニル）プロパン（シェル・ジャパン社製：ビスフェノールＡ）、２，２−ビス（３，５−ジ−ｔ−ブチル−４−ヒドロキシフェニル）プロパン、４，４’−シクロヘキシリデンビス（２，６−ｔ−ブチルフェノール）、ヘキサメチレングリコールビス［３−（３，５−ジ−ｔ−ブチル−４−ヒドロキシフェニル）プロピオネート］（チバ・スペシャルティ・ケミカルズ社製：ＩｒｇａｎｏｘＬ１０９）、トリエチレングリコールビス［３−（３−ｔ−ブチル−４−ヒドロキシ−５−メチルフェニル）プロピオネート］（吉富製薬社製：トミノックス９１７）、２，２’−チオ−［ジエチル−３−（３，５−ジ−ｔ−ブチル−４−ヒドロキシフェニル）プロピオネート］（チバ・スペシャルティ・ケミカルズ社製：ＩｒｇａｎｏｘＬ１１５）、３，９−ビス｛１，１−ジメチル−２−［３−（３−ｔ−ブチル−４−ヒドロキシ−５−メチルフェニル）プロピオニルオキシ］エチル｝２，４，８，１０−テトラオキサスピロ［５，５］ウンデカン（住友化学：スミライザーＧＡ８０）、４，４’−チオビス（３−メチル−６−ｔ−ブチルフェノール）（川口化学社製：アンテージＲＣ）、２，２’−チオビス（４，６−ジ−ｔ−ブチル−レゾルシン）などのビスフェノール類がある。
【００３８】
そして、テトラキス［メチレン−３−（３，５−ジ−ｔ−ブチル−４−ヒドロキシフェニル）プロピオネート］メタン（チバ・スペシャルティ・ケミカルズ社製：ＩｒｇａｎｏｘＬ１０１）、１，１，３−トリス（２−メチル−４−ヒドロキシ−５−ｔ−ブチルフェニル）ブタン（吉富製薬社製：ヨシノックス９３０）、１，３，５−トリメチル−２，４，６−トリス（３，５−ジ−ｔ−ブチル−４−ヒドロキシベンジル）ベンゼン（シェル・ジャパン社製：Ｉｏｎｏｘ３３０）、ビス−［３，３’−ビス−（４’−ヒドロキシ−３’−ｔ−ブチルフェニル）ブチリックアシッド］グリコールエステル、２−（３’，５’−ジ−ｔ−ブチル−４−ヒドロキシフェニル）メチル−４−（２”，４”−ジ−ｔ−ブチル−３”−ヒドロキシフェニル）メチル−６−ｔ−ブチルフェノール、２，６−ビス（２’−ヒドロキシ−３’−ｔ−ブチル−５’−メチル−ベンジル）−４−メチルフェノールなどのポリフェノール類、ｐ−ｔ−ブチルフェノールとホルムアルデヒドの縮合体、ｐ−ｔ−ブチルフェノールとアセトアルデヒドの縮合体などのフェノールアルデヒド縮合体などが挙げられる。
【００３９】
本発明のディーゼルエンジン用潤滑油組成物には、上記成分に加えて、その用途・性能に応じて金属不活性剤、防錆剤、粘度指数向上剤、流動点降下剤、消泡剤その他の添加剤を適宜に併用することができる。
【００４０】
本ディーゼルエンジン用潤滑油組成物に併用できる金属不活性剤としては、ベンゾトリアゾール、４−メチル−ベンゾトリアゾール、４−エチル−ベンゾトリアゾールなどの４−アルキル−ベンゾトリアゾール類、５−メチル−ベンゾトリアゾール、５−エチル−ベンゾトリアゾールなどの５−アルキル−ベンゾトリアゾール、１−ジオクチルアミノメチル−２，３−ベンゾトリアゾールなどの１−アルキル−ベンゾトリアゾール類、１−ジオクチルアミノメチル−２，３−トルトリアゾールなどの１−アルキル−トルトリアゾール類等のベンゾトリアゾール誘導体、ベンゾイミダゾール、２−（オクチルジチオ）−ベンゾイミダゾール、２−（デシルジチオ）−ベンゾイミダゾール、２−（ドデシルジチオ）−ベンゾイミダゾールなどの２−（アルキルジチオ）−ベンゾイミダゾール類、２−（オクチルジチオ）−トルイミダゾール、２−（デシルジチオ）−トルイミダゾール、２−（ドデシルジチオ）−トルイミダゾールなどの２−（アルキルジチオ）−トルイミダゾール類等のベンゾイミダゾール誘導体がある。
【００４１】
また、インダゾール、４−アルキル−インダゾール、５−アルキル−インダゾールなどのトルインダゾール類等のインダゾール誘導体、ベンゾチアゾール、２−メルカプトベンゾチアゾール誘導体（千代田化学社製：チオライトＢ−３１００）、２−（ヘキシルジチオ）ベンゾチアゾール、２−（オクチルジチオ）ベンゾチアゾールなどの２−（アルキルジチオ）ベンゾチアゾール類、２−（ヘキシルジチオ）トルチアゾール、２−（オクチルジチオ）トルチアゾールなどの２−（アルキルジチオ）トルチアゾール類、２−（Ｎ，Ｎ−ジエチルジチオカルバミル）ベンゾチアゾール、２−（Ｎ，Ｎ−ジブチルジチオカルバミル）−ベンゾチアゾール、２−（Ｎ，Ｎ−ジヘキシルジチオカルバミル）−ベンゾチアゾールなど２−（Ｎ，Ｎ−ジアルキルジチオカルバミル）ベンゾチアゾール類、２−（Ｎ，Ｎ−ジエチルジチオカルバミル）トルチアゾール、２−（Ｎ，Ｎ−ジブチルジチオカルバミル）トルチアゾール、２−（Ｎ，Ｎ−ジヘキシルジチオカルバミル）トルチアゾールなどの２−（Ｎ，Ｎ−ジアルキルジチオカルバミル）−トルゾチアゾール類等のベンゾチアゾール誘導体がある。
【００４２】
さらに、２−（オクチルジチオ）ベンゾオキサゾール、２−（デシルジチオ）ベンゾオキサゾール、２−（ドデシルジチオ）ベンゾオキサゾールなどの２−（アルキルジチオ）−ベンゾオキサゾール類、２−（オクチルジチオ）トルオキサゾール、２−（デシルジチオ）トルオキサゾール、２−（ドデシルジチオ）トルオキサゾールなどの２−（アルキルジチオ）トルオキサゾール類等のベンゾオキサゾール誘導体、２，５−ビス（ヘプチルジチオ）−１，３，４−チアジアゾール、２，５−ビス（ノニルジチオ）−１，３，４−チアジアゾール、２，５−ビス（ドデシルジチオ）−１，３，４−チアジアゾール、２，５−ビス（オクタデシルジチオ）−１，３，４−チアジアゾールなどの２，５−ビス（アルキルジチオ）−１，３，４−チアジアゾール類、２，５−ビス（Ｎ，Ｎ−ジエチルジチオカルバミル）−１，３，４−チアジアゾール、２，５−ビス（Ｎ，Ｎ−ジブチルジチオカルバミル）−１，３，４−チアジアゾール、２，５−ビス（Ｎ，Ｎ−ジオクチルジチオカルバミル）−１，３，４−チアジアゾールなどの２，５−ビス（Ｎ，Ｎ−ジアルキルジチオカルバミル）−１，３，４−チアジアゾール類、２−Ｎ，Ｎ−ジブチルジチオカルバミル−５−メルカプト−１，３，４−チアジアゾール、２−Ｎ，Ｎ−ジオクチルジチオカルバミル−５−メルカプト−１，３，４−チアジアゾールなどの２−Ｎ，Ｎ−ジアルキルジチオカルバミル−５−メルカプト−１，３，４−チアジアゾール類等のチアジアゾール誘導体、１−ジ−オクチルアミノメチル−２，４−トリアゾールなどの１−アルキル−２，４−トリアゾール類等のトリアゾール誘導体などが挙げられる。
これらの金属不活性剤は、潤滑油組成物中に約０．０１〜０．５質量％の範囲で単独又は複数組み合わせて使用できる。
【００４３】
上記防錆剤としては、例えば、脂肪酸、アルケニルコハク酸ハーフエステル、脂肪酸セッケン、アルキルスルホン酸塩、アルカリ土類金属（カルシウム（Ｃａ）、マグネシウム（Ｍｇ）、バリウム（Ｂａ）等）のスルフォネート、およびナフテネート、多価アルコール脂肪酸エステル、脂肪酸アミン、酸化パラフィン、アルキルポリオキシエチレンエーテル等が挙げられ、通常その配合量は、組成物全量基準で０．０１〜５質量％の範囲である。
【００４４】
本発明の潤滑油組成物に対して、低温流動性や粘度特性を向上させるために、流動点降下剤や粘度指数向上剤を添加してもよい。
粘度指数向上剤としては、例えばポリメタクリレート類やエチレン−プロピレン共重合体、スチレン−ブタジエン系などのスチレン−ジエン共重合体、ポリイソブチレン、ポリスチレンなどのオレフィンポリマー類等の非分散型粘度指数向上剤や、これらに含窒素モノマーを共重合させた分散型粘度指数向上剤等が挙げられる。その添加量は、潤滑油組成物中に約０．０５〜２０質量％の範囲で使用できる。
流動点降下剤としては、例えばポリメタクリレート系のポリマーが挙げられる。その添加量は、潤滑油組成物中に約０．０１〜５質量％の範囲で使用できる。本発明の実施例では、ポリメタクリレート系の流動点降下剤を配合している。
【００４５】
本発明の潤滑油組成物に対して、消泡性を付与するために、消泡剤を添加することもできる。好ましい消泡剤としては、例えば、ポリジメチルシロキサン、ジエチルシリケート、フルオロシリコーン等のオルガノシリケート類、ポリアルキルアクリレート等の非シリコーン系消泡剤が挙げられる。その添加量は、潤滑油組成物中に約０．０００１〜０．１質量％の範囲で単独又は複数組み合わせて使用できる。
【実施例】
【００４６】
以下に実施例及び比較例を挙げて更に説明するが、本発明はこれにより限定されるものではない。
実施例及び比較例の調製にあたり、下記の組成材料を用意した。
１．基油
（1-1）基油Ａ：フィッシャー・トロプシュ由来基油（ＸＨＶＩ５．２）〔性状：100℃の動粘度が５．２ｍｍ２／ｓ、粘度指数が１４０、硫黄分量が１０質量ｐｐｍ以下〕
（1-2）基油Ｂ：フィッシャー・トロプシュ由来基油（ＸＨＶＩ８．２）〔性状：100℃の動粘度が８．２ｍｍ２／ｓ、粘度指数が１４４、硫黄分量が１０質量ｐｐｍ以下〕
（1-3）基油Ｃ：エチレンとα−オレフィンとのコオリゴマー（ルーカントＨＣ４０）〔性状：100℃の動粘度が４０ｍｍ２／ｓ、粘度指数が１５５、硫黄分量が１０質量ｐｐｍ以下〕
【００４７】
２．ジチオリン酸亜鉛
（2-1）ＺｎＤＴＰ−１：炭素数３〜６の２級アルキル基を有するジアルキルジチオリン酸亜鉛〔成分（元素分析値）：Ｚｎが１１．１質量％、Ｐが１０．０質量％、Ｓが２１
質量％〕
（2-2）ＺｎＤＴＰ−２：炭素数４〜６の２級アルキル基を有するジアルキルジチオリン酸亜鉛〔成分（元素分析値）：Ｚｎが７．７質量％、Ｐが７．２質量％、Ｓが１５質量％〕
３．無灰分散剤
（3-1）コハク酸イミド−１：ホウ素変性ポリブテニルコハク酸イミド（モノ）〔成分（元素分析値）：Ｎが２．２質量％、Ｂが１．９６質量％〕
（3-2）コハク酸イミド−２：ポリブテニルコハク酸イミド（ビス）〔成分（元素分析値）：Ｎが１．２質量％〕
（3-3）コハク酸イミド−３：ホウ素変性ポリブテニルコハク酸イミド（ビス）〔成分（元素分析値）：Ｎが１．５質量％、Ｂが０．４７質量％〕
【００４８】
４．酸化防止剤
（4-1）酸化防止剤−１：アミン系酸化防止剤（イルガノックスＬ５７）〔成分：窒素分が４．５質量％)
（4-2）酸化防止剤−２：ヒンダードフェノール系酸化防止剤（イルガノックスＬ１３５）
５．金属不活性剤：  ベンゾトリアゾール誘導体（イルガメット３９）
６．粘度指数向上剤：  スチレン・ブタジエン系粘度指数向上剤
７．流動点降下剤：  ポリメタクリレート系流動点降下剤
８．消泡剤：  ポリジメチルシロキサン系消泡剤
【００４９】
（実施例・比較例の調製）
表1及び表２に示す配合割合で組成材料を混合し、ディーゼルエンジンオイル用潤滑油組成物を得た。
【００５０】
（試験）
実施例１〜４及び比較例１〜６について、その特性を比較するために下記の試験を行った。
（１）パラメーターの算出
〔（ジアルキルジチオリン酸亜鉛の亜鉛量）×（ポリブテニルコハク酸イミドの窒素量）〕と〔（ジアルキルジチオリン酸亜鉛の亜鉛量）×（アミン系酸化防止剤の窒素量）〕の合計値であって、ここでいう亜鉛量及び窒素量は質量％で表わすものである。
評価基準：０．０１５〜０.０６・・・・可
０．０１５未満・・・・不可
この評価基準において０．０１５〜０.０６の場合は下記するＴＧＦ値もカム山高さ変化も少なく、好ましい結果を得ることができることになるが、０．０１５未満では、ＴＧＦが３０％を超えるか、あるいはカム山高さ変化が９５μｍを超えるため好ましくない。０.０６を超える場合は経済性の点で好ましくない。
【００５１】
（２）ＴＧＦ値（ＴＤ２５エンジン試験後のＴＧＦ値）による清浄性評価
日本独自のディーゼルエンジンオイルの規格および試験方法として制定されたＪＡＳＯ  Ｍ３５５規格に採用されている、ディーゼルエンジンのピストン清浄性試験であるＪＡＳＯ  Ｍ３３６：１９９８（ＴＤ２５エンジンを使用）によりピストン清浄性の評価を行った。ＴＧＦ〔Ｔｏｐ  Ｇｒｏｏｖｅ  Ｆｉｌｌ（第１リング溝カーボン詰まり）〕値は容積％で表示される。
評価基準： ＴＧＦ  ３０％以下・・・・可
ＴＧＦ  ３０％超・・・・・不可
（３）動弁系の摩耗試験
ＪＡＳＯ  Ｍ３５４：１９９９（４Ｄ３４Ｔ４エンジンを使用）による動弁系の摩耗性試験を行った。
評価基準：カム山の高さ変化       ９５μｍ以下・・・・可
９５μｍ超・・・・・不可
カム山の高さ変化（減少量）の限界値は、ＪＡＳＯのＤＨ−２の合格基準に準拠したが、ここで使用したカム山の高さ変化は、実測値を使用し、ＪＡＳＯ  Ｍ３５５で定めているカム山高さ変化の補正は行っていない。
【００５２】
（試験結果）
実施例１〜４及び比較例１〜６についての試験結果を、表1及び表２に示す。
【００５３】
（考察）
実施例１のものは、金属清浄剤を含有せず、コハク酸イミド−３の分散剤を窒素量で０．１５質量％、アミン系酸化防止剤を窒素量で０．０８質量％、コハク酸イミド系分散剤のホウ素量を０．０４７質量％に対して、ＺｎＤＴＰをＺｎ量で０．１０質量％含み、（ＺｎＤＴＰの亜鉛量）×（コハク酸イミドの窒素量+アミン系酸化防止剤の窒素量）のパラメータ値が０．０２３、ＴＧＦは１２％、またカム山高さの変化は７μｍ、さらに硫酸灰分も０．２３質量％と基準に収まり、良好な性能が得られている。
実施例２のものは、金属清浄剤を使用せず、主としてコハク酸イミド−１、コハク酸イミド−２とコハク酸イミド−３を混合して合計窒素量を０．１２質量％にしたもので、パラメータ値は０．０２０、ＴＧＦは２５％、またカム山高さの変化は１８μｍとなり、良好な性能が得られている。
実施例３は、コハク酸イミド−１とコハク酸イミド−２の混合としてコハク酸イミドの窒素量は０．１５質量％とし、ＺｎＤＴＰをＺｎ量で０．１質量％、アミン系酸化防止剤を窒素量で０．０３９６質量％で、パラメータ値は０．０１９となり、ＴＧＦは９％、カム山高さの変化は２４．７μｍであった。
実施例４は、アミン系酸化防止剤を窒素量で０．０２２質量％にし、パラメータ値は０．０１５、ＴＧＦは７％、カム山高さの変化は８４．９μｍと、良好な範囲内であった。
【００５４】
一方、比較例１は、コハク酸イミド系分散剤を窒素量で０．０７５質量％にし、またＺｎＤＴＰをＺｎ量で０．０７７質量％にし、アミン系酸化防止剤は添加していないもので、パラメータ値は０．００６と大きく減少し、ＴＧＦも４７％、さらにカム山高さの変化量が４７８．６μｍと大幅に増えている。比較例２は、コハク酸イミド分散剤を窒素量で０．１２質量％にし、アミン系酸化防止剤を窒素分で０．０８質量％にし、ＺｎＤＴＰをＺｎ量で０．０５質量％としたところ、パラメータ値は０．０１０と基準値以下となり、ＴＧＦは３９％であったが、カム山高さの変化は２１７μｍと合格基準の９５μｍを超えるものとなった。
比較例３は、ＺｎＤＴＰをＺｎ量で０．０５質量％、コハク酸イミドを窒素量で０．１０質量％、アミン系酸化防止剤を窒素量で０．０７９２質量％としたところ、パラメータ値は０．００９と基準値以下となり、ＴＧＦは５５％、カム山高さの変化は３００μｍとさらに悪化した。比較例４では、ＺｎＤＴＰをＺｎ量で０．０６質量％、コハク酸イミドを窒素量で０．１５質量％、アミン系酸化防止剤を窒素量で０．０３９６質量％にしたところ、パラメータ値が０．０１１になり、ＴＧＦは１４％と良好であったが、カム山高さの変化は１３０．７μｍと９５μｍを超えてしまった。
比較例５は、ＺｎＤＴＰをＺｎ量で０．０７％とし、コハク酸イミドを窒素量で０．１２質量％としたところ、パラメータ値は０．０１１となり、ＴＧＦは２４％で基準を満たしたが、カム山高さの変化が２３５．６μｍと大幅に増加した。比較例６は、実施例１と同じコハク酸イミド−３を同量にして、ＺｎＤＴＰをＺｎ量で０．０７質量％にし、さらにアミン系酸化防止剤を窒素量で０．０３９６質量％にしたもので、パラメータ値は０．０１３となり、ＴＧＦの１１％は適合しているものの、カム山高さの変化は９９μｍとなって基準値である９５μｍをわずかに超えるものとなった。
【００５５】
【表１】
2011256374.tif 000004
【００５６】
【表２】
2011256374.tif 000005